(57)【要約】【課題】機器本体部のベルト通しへの取付けが確実でみだりに外れたりしないばかりか極めて容易に取り外しが出来る留め具付き機器を提供するものである。【解決手段】折り畳み式の携帯電話機１の上本体部３には、携帯電話機１をベルト通し部２３に掛止させるために夫々の先端部１３Ｂ及び１４Ｂが係合された留め具部材１３及び１４が設けられており、留め具部材１３は基部１３Ａで軸３Ｄに回動可能に軸支されると共に係止凸部１３Ｃにロック棒１６が当接してロック状態とされている。ケース内部に設けられた電磁石１９が駆動することによりロック棒１６が電磁石に引き寄せられて移動し、係止凸部１３Ｃとロック棒１６との係止状態が解除されるので留め具部材１３は回動可能となり、先端部１３Ｂが上方に回転して留め具部材１３をベルト通し部２３から抜き出すことが出来る。【選択図】図２
2010011126.tif 000002
【特許請求の範囲】
【請求項１】
本体部を被掛止物に掛止するための留め具機構を有する留め具付き機器であって、
前記留め具機構は、
一端部が前記本体部に取り付けられ他端部が前記本体部より離間した位置に配置される第１の爪部材と、
一端部が前記本体部に取り付けられ他端部が前記第１の爪部材の前記他端部に係合して前記本体部及び前記第１の爪部材と共にループを形成する第２の爪部材と、
この第２の爪部材の前記他端部と前記第１の爪部材の前記他端部との係合状態を保持するために前記第２の爪部材の動きを規制するロック機構と、
このロック機構による前記第２の爪部材の動きの規制を解除するロック解除手段と、
を備え、
このロック解除手段によって前記ロック機構による規制が解除されることによって前記ループが前記第２の爪部材の前記他端部と前記第１の爪部材の前記他端部との係合部分において開放可能になることを特徴とする留め具付き機器。
【請求項２】
前記第１の爪部材の前記一端部は、第１の弾性部材によって付勢を受けた状態で前記本体部に軸支されて取り付けられており、前記第１の弾性部材の付勢方向に逆らって前記他端部を前記本体側に回動させると前記係合部分の係合が開放されることを特徴とする請求項１に記載の留め具付き機器。
【請求項３】
前記第２の爪部材には第２の弾性部材が取り付けられており前記ロック解除手段によって前記ロック機構による規制が解除された状態でも前記第２の弾性部材の付勢によって前記第２の爪部の他端部が前記前記第１の爪部材の前記他端部に係合保持されることを特徴とする請求項１に記載の留め具付き機器。
【請求項４】
前記ロック機構は電磁機構を含み、前記ロック解除手段は前記電磁機構を電子的に制御することにより前記ロック機構によるロック状態を制御することを特徴とする請求項１に記載の留め具付き機器。
【請求項５】
前記ロック機構は、前記電磁機構の非通電時にロック状態となり、前記電磁機構の通電時にロック状態が解除されることを特徴とする請求項４に記載の留め具付き機器。
【請求項６】
更に、プログラムに従った処理を行うプログラム実行手段と、割り込み処理が発生したことを検出する割り込み検出手段とを備え、前記ロック解除手段は少なくとも前記割り込み検出手段によって前記割り込み処理の発生が検出されたことを条件にロック解除をおこなわせることを特徴とする請求項１に記載の留め具付き機器。
【請求項７】
更に、前記本体部には入力手段が備えられており、前記ロック解除手段は少なくとも前記割り込み検出手段によって前記割り込み処理の発生が検出され且つ前記入力手段による入力がなされた際にロック解除をおこなわせることを特徴とする請求項６に記載の留め具付き機器。
【請求項８】
前記割り込み検出手段は、外部からの着信を検出する着信検出手段であることを特徴とする請求項６又は７に記載の留め具付き機器。
【請求項９】
更に、前記本体部には入力手段が備えられており、前記ロック解除手段は前記入力手段による入力がなされた際にロック解除をおこなわせることを特徴とする請求項１に記載の留め具付き機器。
【請求項１０】
更に、通信手段を備え、この通信手段による通信が終了したとき前記ロック機構をロック状態に設定するロック設定手段を備えたことを特徴とする請求項１に記載の留め具付き機器。
【請求項１１】
更に、前記本体部には操作子が備えられており、前記ロック機構のロック状態が解除されている際に前記操作子の操作によって前記ロック機構をロック状態に設定するロック設定手段を備えたことを特徴とする請求項１に記載の留め具付き機器。
【請求項１２】
前記ロック解除手段によってロック状態が解除されてから所定時間後に前記ロック機構をロック状態に設定するロック設定手段を備えたことを特徴とする請求項１に記載の留め具付き機器。
【請求項１３】
前記第１の爪部材及び第２の爪部材は前記本体部を外部の衝撃から緩和する緩衝部材からなることを特徴とする請求項１に記載の留め具付き機器。
【発明の詳細な説明】
【技術分野】
【０００１】
本発明は、留め具付き機器に関する。
【背景技術】
【０００２】
従来、携帯電話やカメラなどの電子機器においては、紛失や盗難の防止或いは落下防止などのために、電子機器本体にストラップの一端を装着し、そのストラップを手首や首に掛けたり或いはストラップの他端に取り付けた留め具で衣服の一部或いは腰のベルトやベルト通しに固定したりする様にしていた。
【０００３】
そして、上記の留め具としては、例えば特許文献１に記載されている様な衣服やベルトの一部を挟み込むクリップ部材が知られている。
【０００４】
【特許文献１】特開２００６−０４３３７５号公報
【発明の開示】
【発明が解決しようとする課題】
【０００５】
しかしながら、特許文献１の如く衣服の一部をクリップ部材で挟み込む方法では、ストラップが強い力で引かれた場合にクリップ部材が衣服から外れてしまう欠点があり、例えば、電子機器を不注意で落としてしまった場合には、クリップ部材が電子機器自体の重みに耐えきれず衣服から外れてしまい、電子機器が地面等に衝突して破損してしまうおそれがあった。
【０００６】
これを防止するためには、クリップ部材による挟み込みの力を強くしておけばよいが、その場合には衣服が変形或いは破損するおそれがあり、また、衣服からの取り外しに強い力が必要となり迅速に取り外すことが出来ないという欠点があった。
【０００７】
特に、電子機器が携帯電話であった場合、着信などがあった際には直ちに応答する必要があるが、クリップ部材が衣服から迅速に取り外せないと応答が遅れてしまうという欠点があり、この場合、ストラップを長くしておけばクリップを外すことなく応答が可能であるが、ストラップがあまりにも長いと持ち運び時や取り扱い時にストラップが邪魔になってしまうものである。
【０００８】
本発明は、上記の課題の少なくとも一つを解決するためになされたもので、機器本体部の取付けが確実でみだりに外れたりしないばかりか極めて容易に取り外しが出来る留め具付き機器を提供するものである。
【課題を解決するための手段】
【０００９】
上記の課題を解決するために、本発明の請求項１に記載の留め具付き機器は、本体部を被掛止物に掛止するための留め具機構を有する留め具付き機器であって、前記留め具機構は、一端部が前記本体部に取り付けられ他端部が前記本体部より離間した位置に配置される第１の爪部材と、一端部が前記本体部に取り付けられ他端部が前記第１の爪部材の前記他端部に係合して前記本体部及び前記第１の爪部材と共にループを形成する第２の爪部材と、この第２の爪部材の前記他端部と前記第１の爪部材の前記他端部との係合状態を保持するために前記第２の爪部材の動きを規制するロック機構と、このロック機構による前記第２の爪部材の動きの規制を解除するロック解除手段と、を備え、このロック解除手段によって前記ロック機構による規制が解除されることによって前記ループが前記第２の爪部材の前記他端部と前記第１の爪部材の前記他端部との係合部分において開放可能になることを特徴とする。
【００１０】
また、請求項２は、前記第１の爪部材の前記一端部は、第１の弾性部材によって付勢を受けた状態で前記本体部に軸支されて取り付けられており、前記第１の弾性部材の付勢方向に逆らって前記他端部を前記本体側に回動させると前記係合部分の係合が開放されることを特徴とする。
【００１１】
更に、請求項３は、前記第２の爪部材には第２の弾性部材が取り付けられており前記ロック解除手段によって前記ロック機構による規制が解除された状態でも前記第２の弾性部材の付勢によって前記第２の爪部の他端部が前記前記第１の爪部材の前記他端部に係合保持されることを特徴とする。
【００１２】
更にまた、請求項４は、前記ロック機構は電磁機構を含み、前記ロック解除手段は前記電磁機構を電子的に制御することにより前記ロック機構によるロック状態を制御することを特徴とする。
【００１３】
請求項５は、前記ロック機構は、前記電磁機構の非通電時にロック状態となり、前記電磁機構の通電時にロック状態が解除されることを特徴とする。
【００１４】
また、請求項６は、更に、プログラムに従った処理を行うプログラム実行手段と、割り込み処理が発生したことを検出する割り込み検出手段とを備え、前記ロック解除手段は少なくとも前記割り込み検出手段によって前記割り込み処理の発生が検出されたことを条件にロック解除をおこなわせることを特徴とする。
【００１５】
更に、請求項７は、更に、前記本体部には入力手段が備えられており、前記ロック解除手段は少なくとも前記割り込み検出手段によって前記割り込み処理の発生が検出され且つ前記入力手段による入力がなされた際にロック解除をおこなわせることを特徴とする。
【００１６】
更にまた、請求項８は、前記割り込み検出手段は、外部からの着信を検出する着信検出手段であることを特徴とする。
【００１７】
請求項９は、更に、前記本体部には入力手段が備えられており、前記ロック解除手段は前記入力手段による入力がなされた際にロック解除をおこなわせることを特徴とする。
【００１８】
また、請求項１０は、更に、通信手段を備え、この通信手段による通信が終了したとき前記ロック機構をロック状態に設定するロック設定手段を備えたことを特徴とする。
【００１９】
更に、請求項１１は、更に、前記本体部には操作子が備えられており、前記ロック機構のロック状態が解除されている際に前記操作子の操作によって前記ロック機構をロック状態に設定するロック設定手段を備えたことを特徴とする。
【００２０】
更にまた、請求項１２は、前記ロック解除手段によってロック状態が解除されてから所定時間後に前記ロック機構をロック状態に設定するロック設定手段を備えたことを特徴とする。
【００２１】
請求項１３は、前記第１の爪部材及び第２の爪部材は前記本体部を外部の衝撃から緩和する緩衝部材からなることを特徴とする。
【発明の効果】
【００２２】
本発明によれば、機器本体部の取付けが確実でみだりに外れたりしないばかりか極めて容易に取り外しが可能な留め具付き機器が提供できる。
【発明を実施するための最良の形態】
【００２３】
以下、本発明を実施するための最良の形態を、図面を参照して詳細に説明する。
【００２４】
図１は、本発明の留め具付き機器の一例として折畳み開閉式の携帯電話機１の外観を示す図であり、図１（ａ）は、合成樹脂製の下本体部２と同じく合成樹脂製の上本体部３とを開いた状態、図１（ｂ）は上本体部２と上本体部３とを閉じた状態を示している。
【００２５】
下本体部２の表面には、各種の押釦式のキー釦４、モード選択や選択されたモードを実行させるため十字キー釦５、送話マイク６等が設けられており、下本体部２の裏面には、バッテリ（図示せず）を内部に収納するバッテリカバー８が設けられている。また、下本体部２の側面には押釦式のサイド釦として入力釦９Ａ及び９Ｂが設けられているもので、この入力釦９Ａ及び９Ｂの機能については後述する。
【００２６】
上記下本体部２はヒンジ機構１０を介して上本体部３に対し開閉可能となっているもので、上本体部３の表面には、上本体部２と上本体部３とを開いて使用する際に各種情報を表示するメイン表示部１１及び受話スピーカ１２が設けられている。また、図示していないが上本体部３の裏面部には、サブ表示部や撮像装置（カメラ）等が設けられている。
【００２７】
更に、上本体部３の上面には止め具部材（留め具としての爪部材）１３及び１４が取り付けられていて、携帯電話機１をズボンのベルト通し部などのような被掛止物に掛止するための留め具機構部を構成している。
【００２８】
図２は、上記止め具部材１３及び１４が取り付けられた留め具機構部の平面断面とこの留め具機構部を駆動する回路構成とを説明する図である。
【００２９】
即ち、図２において、上本体部３の合成樹脂製のケース３Ａの上部外表面には凹部３Ｂ及び３Ｃが設けられており、留め具部材１３はその基部１３Ａが凹部３Ｂに設けられた軸３Ｄに軸支されると共にその先端部１３Ｂが上下方向に回動可能に取り付けられており、留め具部材１４はその基部１４Ａが凹部３Ｃに設けられた軸３Ｅに軸支されると共にその先端部１４Ｂが上下方向に回動可能に取り付けられている。
【００３０】
上記留め具部材１３は、図示の如く全体が略Ｌ字状に形成され、外部の衝撃を緩和する緩衝部材、例えば合成樹脂から成り、上述した基部１３Ａから延出形成されている先端部１３Ｂを有する他端部は、ケース３Ａから離間した位置に配置されている。また、上記軸３Ｄに軸支されている基部１３Ａの下方端部には係止凸部１３Ｃが形成され、軸３Ｄに対してこの係止凸部１３Ｃの反対側にはバネ部材（弾性部材）１５がケース３Ａとの間で取り付けられていて、留め具部材１３をその弾性力でケース３Ａ側に引っ張る方向、即ち留め具部材１３の先端部１３Ｂを下方向に引っ張る方向にバネ力を与えている。
【００３１】
更に、留め具部材１３の上記係止凸部１３Ｃには金属製のロック棒１６の側面が係止されており、ロック棒１６はケース３Ａに取り付けられたバネ部材１７によって留め具部材１３側、即ち図示の上方側に押しつけられている。
【００３２】
また、係止凸部１３Ｃのロック棒１６との係止面とは反対側の面は凹部３Ｂの内周面３Ｆに当接しており、留め具部材１３の先端部１３Ｂがケース３Ａ方向に回転しない様に構成されている。
【００３３】
留め具部材１４は、図示の如く全体が略くの字状に形成された合成樹脂から成り、上述した基部１４Ａから延出形成されている先端部１４Ｂを有する他端部は、ケース３Ａから離間した位置に配置されている。また、上記軸３Ｅに軸支されている基部１４Ａの一端部には凸部１４Ｃが形成され、この凸部１４Ｃにはバネ部材１８がケース３Ａとの間で取り付けられている。このバネ部材１８の弾性力は、留め具部材１４が図２の状態を保つ程度のバネ力となっている。
【００３４】
ケース３Ａは、詳細は図示していないが、上述したメイン表示部１１や受話スピーカ１２の取り付け部やヒンジ機構１０の取り付け部など各部において、外部からケース３Ａ内部に水分などが侵入しない防水構造とされており、このケース３Ａ内部の前記凹部３Ｂの底面に対向する位置には、電磁石１９が配置されている。
【００３５】
この電磁石１９は、スイッチ部２０を介して電池電源２１の電圧が供給されて駆動する様に構成されており、電磁石１９が駆動して磁力を発生することにより金属製のロック棒１６がバネ部材１７のバネ力に逆らって凹部３Ｂの底面側に引きつけられて移動し、係止凸部１３Ｃとロック棒１６の側面との係止状態が解除される様になっている。
【００３６】
即ち、留め具部材１３は、通常は係止凸部１３Ｃがロック棒１６の側面に係止されて先端部１３Ｂが上方に回転しない様にロックされているが、電磁石１９の駆動によってロック棒１６が移動すると、ロック状態が解除されて留め具部材１３は回動可能となり、その先端部１３Ｂが上方に回転出来る状態となる。
【００３７】
但し、留め具部材１３には、バネ部材１５のバネ力が働いているので、ロック状態が解除されただけでは上方に回転せず、留め具部材１３にバネ部材１５のバネ力に逆らった力が加わったときのみ上方への回転がなされる。
【００３８】
上記スイッチ部２０は、アンド回路２２からの制御信号によってオン・オフ動作する例えばスイッチングトランジスタなどから構成され、アンド回路２２は、後述する信号Ｘ及び信号Ｙが入力されたときに前記スイッチングトランジスタをオン動作させ電磁石１９を駆動する制御信号を出力する。
【００３９】
然して、図２の如く留め具部材１３に対してロック棒１６によるロック機構が働いている状態においては、留め具部材１３の先端部１３Ｂの下面が留め具部材１４の先端部１４Ｂの上面に係合しており、留め具部材１３、留め具部材１４及びケース３Ａによって閉ループが形成されている。
【００４０】
そして、留め具部材１４は、バネ部材１８のバネ力によって上記図２に示す状態の位置に安定して固定され、留め具部材１３は、ロック棒１６によるロック機構によって先端部１３Ｂの上方への回転が規制され、また、バネ部材１５によって先端部１３Ｂの下方への力が加わっているが、先端部１３Ｂ下面が留め具部材１４の先端部１４Ｂに係合していることによって下方への回転も規制された安定した状態となっている。
【００４１】
上記図２の状態において、留め具機構を被掛止物であるズボン（図示せず）のベルト通し部などに係止させる場合には、指などで、図３に示す様に留め具部材１４の先端部１４Ｂをバネ部材１８のバネによる付勢力に抗してケース３Ａ側（図示左側）に押圧し、留め具部材１４を回転させてその先端部１４Ｂと留め具部材１３の先端部１３Ｂとの係合を解除させる。
【００４２】
この動作により留め具部材１４の先端部１４Ｂと留め具部材１３の先端部１３Ｂとの間に隙間が出来るので、この隙間を利用して、留め具部材１３の先端部１３Ｂをベルト通し部２３に挿通することが出来る。
【００４３】
先端部１３Ｂをベルト通し部２３に挿通した後は、留め具部材１４の先端部１４Ｂに加えていた力を解除することにより、留め具部材１４はバネ部材１８の復帰力によりその先端部１４Ｂが留め具部材１３の先端部１３Ｂと再度係合し、図４に示す様に、留め具部材１３、留め具部材１４及びケース３Ａによって形成された閉ループの中にベルト通し部２３を保持でき、これによって携帯電話機１を、ベルト通し部２３を介してズボンに掛止させることが出来る。
【００４４】
図５は、上記携帯電話機１の基本的な構成要素を示したブロック図である。中央制御部（ＣＰＵ）３０は、記憶部３１内部のＲＯＭ（図示せず）に記憶された各種のプログラムに応じてこの携帯電話装置１の全体の動作を制御する。即ち、ＲＯＭのプログラム記憶領域には、後述する図７及び８に示すフローチャートを実行させるためのプログラムや各種機能のアプリケーションを実行させるためのプログラムなどが格納されており、中央制御部３０は、これら各種のプログラムに応じてこの携帯電話機１の全体の動作を制御する。
【００４５】
また、記憶部３１には、ＲＯＭ以外に各種機能のアプリケーションで使用される各種の情報を記憶する揮発性のメモリであるＲＡＭ或いは不揮発性メモリであるフラッシュメモリ（いずれも図示せず）等が備えられており、更に、詳細を後述する図６のフラグメモリ３１Ａ乃至３１Ｄも備えられている。
【００４６】
無線通信部３２は、電話の通話機能としての動作時にはアンテナ３３から取り込んだ音声の無線信号を受信ベースバンド信号に復調した後に、音声信号処理部３４を介して受話スピーカ３５（図１の受話スピーカ１２に該当する）から音声出力させる。また、送話マイク３６（図１の送話マイク６に該当する）から入力された音声信号を音声信号処理部３４で処理させた後に無線通信部３２に送り、無線通信部３２では音声信号を送信ベースバンド信号に符号化したのちにアンテナ３３から送信出力させる。
【００４７】
また、電子メール機能、インターネット接続機能及びデジタル放送受信機能等の動作時には、アンテナ３３及び無線通信部３２を介して電子メールの送受信、Ｗｅｂサイトの閲覧及びデジタル放送の受信等が可能であり、電子メールの送受信情報、Ｗｅｂサイトの閲覧情報及び放送受信画像等は表示部３７（図２のメイン表示部１１に該当する）に与えられて表示出力される。
【００４８】
表示部３７は、例えば、ドットマトリクスタイプの液晶表示装置あるいはＥＬ表示装置から構成され、電話機として必要な情報（相手方の電話番号、電波受信状態、電池残量等の情報）を表示するとともに、上述した電子メールやＷｅｂサイトの情報及び放送受信画像や記憶部３１に記憶された各種情報、或いは後述する計時部４１で得られる現在時刻情報や設定されたスケジュールなどのアラーム時刻情報及びスケジュール情報等も表示する。
【００４９】
操作部３８は、図１で示したキー釦４や十字キー釦５、入力釦９Ａ及び９Ｂ等から構成され各種情報を入力する。尚、キー釦４については、詳細は図示していないが例えば文字及び数値を入力するキー釦、電話機能の受話開始（オフフック）キー釦、終話（オンフック）キー釦、電源オン及びオフキー釦、各種のアプリケーションを動作させるキー釦、後述するフラグを設定するためのキー釦などが設けられている。
【００５０】
アプリ処理関係部３９は、各種機能のアプリケーションを処理するもので、例えば、上述した電子メール機能、インターネット接続機能及びデジタル放送受信機能等以外にも、例えば音声や音楽の録音及び再生機能、カメラ機能などの各種機能の処理を実行する。
【００５１】
電源部４０は、図２で示した電池電源２１と、この電源電池２１の電池電圧が低下した際に各回路部をバックアップするバックアップ電池（図示せず）とからなり、図２で示した電磁石１９以外に、図５の各回路部に駆動電圧を供給するものである。
【００５２】
計時部４１は、詳細は図示していないが、基準信号を計数して現在の年、日付、曜日、時分等の現在時刻情報を得る時計回路部、操作部３８から入力されたアラーム時刻情報及びスケジュール内容を記憶するアラーム時刻記憶回路部、上記現在時刻情報とアラーム時刻情報との一致を検出して一致信号を出力する一致検出回路等から構成されており、上記現在時刻情報、アラーム時刻情報、スケジュール内容及び一致信号は夫々中央制御部３０に供給される。
【００５３】
留め具機構部４２は、図２で示したケース３Ａ、軸３Ｄ及び３Ｅ、止め具部材１３及び１４、バネ部材１５、１７及び１８、ロック棒１６等から構成される機構であり、ロック制御部４３は、上記ロック棒１６を移動させる電磁石１９、スイッチ部２０、アンド回路２２等から構成され、留め具機構４２のロック棒１６を移動させて止め具部材１３及び１４による掛止動作をロック状態（以下、ロックＯＮと述べる場合もある）及びロック解除状態（以下、ロックＯＦＦと述べる場合もある）に制御する回路部である。
【００５４】
図６は、上記留め具機構部４２のロック解除を制御する記憶部３１のフラグメモリ３１Ａ乃至３１Ｄ及びそのフラグの内容を説明する図である。図６（ａ）のフラグメモリ３１Ａは、着信があった際に上記ロック解除を自動的に行わせるか否かを制御するためのフラグを記憶するもので、フラグメモリ３１Ａにフラグが設定されている（「１」が記憶されている）ときはロック解除動作を行い、フラグが設定されていない（「０」が記憶されている）ときは着信があってもロック解除動作を行わないように制御される。
【００５５】
また、フラグメモリ３１Ａにフラグが設定されている状態において、フラグメモリ３１Ｂにフラグが設定されていないときにはモード１として着信状態になったという条件のみでロック解除がなされ、フラグメモリ３１Ｂにフラグが設定されているときにはモード２として着信状態になり且つ図１で示したサイド釦である入力釦９Ａが操作されたという両方の条件を満たしたときのみロック解除がなされるものである。
【００５６】
図６（ｂ）は、上述したフラグメモリ３１Ａ及び３１Ｂの内容によって制御される状態を説明するもので、「自動ロック解除設定１」は着信時にロック解除させるか否かの設定を意味し、「ＯＦＦ」はフラグメモリ３１Ａにフラグ設定がなされていないこと、「ＯＮ」はフラグ設定がなされていることを意味し、モード１はフラグメモリ３１Ｂにフラグが設定されていないこと、モード２はフラグメモリ３１Ｂにフラグが設定されていることを意味している。
【００５７】
図６（ｃ）のフラグメモリ３１Ｃは、アラーム時刻に至った際に上記ロック解除を自動的に行わせるか否かを制御するためのフラグを記憶するもので、フラグメモリ３１Ｃにフラグが設定されている（「１」が記憶されている）ときはロック解除動作を行い、フラグが設定されていない（「０」が記憶されている）ときはロック解除動作を行わないように制御される。
【００５８】
また、フラグメモリ３１Ｃにフラグが設定されている状態において、フラグメモリ３１Ｄにフラグが設定されていないときにはモード１として現在時刻がアラーム時刻に一致してアラーム報知がなされているという条件のみでロック解除動作がなされ、フラグメモリ３１Ｂにフラグが設定されているときにはモード２としてアラーム時刻になってアラーム報知がなされていて且つ図１で示したサイド釦である入力釦９が操作されたという条件でロック解除動作がなされるものである。
【００５９】
図６（ｄ）は、上述したフラグメモリ３１Ｃ及び３１Ｄの内容によって制御される状態を説明するもので、「自動ロック解除設定２」はアラーム時刻になった際にロック解除させるか否かの設定を意味し、「ＯＦＦ」はフラグメモリ３１Ｃにフラグ設定がなされていないこと、「ＯＮ」はフラグ設定がなされていることを意味し、モード１はフラグメモリ３１Ｄにフラグが設定されていないこと、モード２はフラグメモリ３１Ｄにフラグが設定されていることを意味している。
【００６０】
尚、上記フラグメモリ３１Ａ乃至３１Ｄのフラグは、この携帯電話機１の使用者が操作部３８のキー釦の操作を行って任意に設定されるものである。
【００６１】
次に、上記の如く構成された携帯電話機１の動作につき、図７及び図８の動作フローチャートを参照して説明する。
【００６２】
図７において、ステップＡ１は、電源オフ状態において操作部３８の電源キー釦が操作されたか否かを判別（検出）する処理で、電源キー釦が操作されたことが判別されるとステップＡ２に進んで携帯電話装置１の各回路部を初期化すると共に必要な駆動電圧を供給する。この処理の場合、ロック制御部４３においては、電源投入による不安定な電圧変化によってスイッチ部２０のスイッチングトランジスタがオン状態に設定されてしまう可能性があるので、スイッチングトランジスタをオフ状態にする処理がなされ、ロック機構をロックＯＮ状態（ロック状態）に設定する。
【００６３】
次のステップＡ３では、この携帯電話機１宛の着信を受信可能な状態にする待受処理が実行され、次のステップＡ４では着信の有無が判断（検出）される。着信がない場合には、図８のステップＢ１に進み、現在時刻情報がアラーム時刻情報に一致したか否かの検出がなされ、一致していない場合にはステップＢ２に進み、この携帯電話機１の使用者によって操作部３８のキー釦操作がなされたか否かが判断され、キー釦操作がなされていない場合には図７のステップＡ３に戻り、以後、ステップＡ３、Ａ４、Ｂ１及びＢ２の処理を繰り返す。
【００６４】
このような状態で、ステップＡ４において着信が検出されると、ステップＡ５以降の処理が割り込み処理として実行される。即ち、ステップＡ５では、着信時にロック解除を行わせる自動ロック解除設定１が設定されているか否か、つまり、フラグメモリ３１Ａにフラグが設定されているか否かが判断される。
【００６５】
フラグメモリ３１Ａにフラグが設定されていた場合は、自動ロック解除設定１がＯＮ状態に設定されている場合なので、ロック制御部４３のアンド回路２２の一方の入力端子の信号Ｘに「１」信号を供給する処理を行った後ステップＡ６に進み、フラグメモリ３１Ｂにフラグが設定されているか否か、即ち、図６（ｂ）のモード１、モード２のいずれに設定されているかが判断される。
【００６６】
モード１が設定されていた場合（ステップＡ６でＮｏ）には、ステップＡ９に進んでアンド回路２２の他方の入力端子の信号Ｙに「１」信号を供給する処理が行われる。これによってアンド回路２２の入力信号Ｘ及びＹはいずれも「１」となり、アンド回路２２からはスイッチ部２０をオン状態にする信号が出力され、電磁石１９が駆動し、ロック棒１６がケース３Ａ側に移動するので、留め具部材１３のロックが解除（ロックＯＦＦ）される。
【００６７】
即ち、モード１が設定されていた場合には、着信割り込みがあると留め具部材１３のロックが解除される。従って、留め具部材１３の先端部１３Ｂを持ち上げるか或いは携帯電話機１をベルト通し部２３から離れる方向に移動させると、バネ部材１５のバネ力に抗して留め具部材１３の先端部１３Ｂが上方に回転し、図９に示す様に、先端部１３Ｂと留め具部材１４の先端部１４Ａとの間に隙間が出来るので留め具部材１３をベルト通し部２３から抜き出すことが可能になる。
【００６８】
一方、ステップＡ６においてモード２が設定されていたことが検出されるとステップＡ７に進む。ステップＡ７では、ロック解除の為の操作、即ち入力釦９Ａによる入力操作がなされたか否かが判断される。
【００６９】
入力釦９Ａによる入力操作がなされた場合にはステップＡ９に進み、上述した如くアンド回路２２の他方の入力端子の信号Ｙに「１」信号を供給する処理が行われ、これによって留め具部材１３のロックが解除され、携帯電話機１をベルト通し部２３から抜き出すことが可能になる。
【００７０】
ステップＡ９で入力釦９Ａによる入力操作がなされなかった場合にはステップＡ８に進み、着信状態が終了したか否かが判断される。このステップＡ８の処理は、着信に対して応答しない為に、電話をかけてきた相手が呼び出しを終了させたか否か、或いは、携帯電話機１の使用者が着信を拒否する操作などを行ったか否かを検出する処理であり、着信状態の終了が検出されなかった場合には、上記ステップＡ６に戻り、ステップＡ７、Ａ８を繰り返すが、終了が検出された場合にはステップＡ３の待受処理に戻る。
【００７１】
ステップＡ５で自動ロック解除設定１が設定されていなかった場合、及びステップＡ９でロック解除がなされた場合にはステップＡ１０に進み、オフフックキー釦の操作がなされたか否かが判断される。
【００７２】
オフフックの操作がなされなかった場合にはステップＡ１１に進み、ステップＡ８同様に着信状態の終了処理がなされたか否かが判断され、終了処理がなされない場合にはステップＡ１０に戻る処理を繰り返す。
【００７３】
ステップＡ１０でオフフックの操作がなされたことが検出されると、ステップＡ１２に進み、図５のアンテナ３３、無線通信部３２、音声信号処理部３４、受話スピーカ３５及び送話マイク３６を動作させて電話をかけてきた相手との通話処理が実行されると共に、次のステップＡ１３で、通話終了の為にオンフックのキー釦操作がなされたか否かが判断される。
【００７４】
オンフック操作がなされない場合にはステップＡ１２に戻り通話処理を継続するが、オフフック操作がなされた場合にはステップＡ１４に進み、ロック機構が解除されている状態であるか否かが判断され、ロック機構が解除されている状態の場合にはステップＡ１５に進んでスイッチ部２０をオフ状態に設定し、ロック機構をロック状態に設定した後ステップＡ３の待受処理に戻る。
【００７５】
また、ステップＡ１１で着信状態の終了が検出された場合にも同様にステップＡ１４に進んでロック機構が解除されている状態か否かが判断され、解除されている場合にはステップＡ１５でロック機構をロック状態に設定する。
【００７６】
即ち、ステップＡ９を介してステップＡ１４に進んできた場合には、ロック機構が解除されているので、そのまま、携帯電話機１の留め具機構部４２をベルト通し部２３に掛止させると、ロックが解除されているので外部から強い力が加わったときには留め具機構部４２がベルト通し部２３から外れ、携帯電話機１が落下し破損してしまう虞があり、これを防止するため、通話終了時、或いは着信状態の終了時に自動的にロック状態に設定するものである。
【００７７】
尚、通話終了時に直ちにロック状態に設定しても、図３で説明した如く、ロック状態でもベルト通し部２３に掛止できるので何の不都合も生じないものである。
【００７８】
然して、上述した如く図７のステップＡ３において待受処理がなされ、次のステップＡ４で着信が検出されなかったときには図８のステップＢ１に進み、現在時刻がアラーム時刻に至ったか否かの検出がなされる。
【００７９】
アラーム時刻に至ったことが検出された場合には、ステップＢ３のアラーム処理が割り込み処理として実行される。このステップＢ３では、アラームの報音処理がなされると共に、図７のステップＡ５乃至Ａ１５と同様（但し、通話に関連する処理は除く）のロック解除及びロック設定の処理がなされる。
【００８０】
即ち、図７のステップＡ５では、自動ロック解除設定１がＯＮ状態か否かが判別されたが、ステップＢ３では、図６（ｃ）及び（ｄ）で説明した自動ロック解除設定２がＯＮ状態か否かが判断され、フラグメモリ３１Ｃにフラグが設定されていた場合は、フラグメモリ３１Ｄにフラグが設定されているか否か、即ちモード１かモード２かを判断し、モード１の場合にはアラーム音の報知中ロックを解除し、モード２の場合にはアラーム音の報知中で且つ入力釦９Ａが操作されたことを条件にロックを解除するものである。
【００８１】
これによって、携帯電話機１をベルト通し部２３から直ちに外すことが出来、例えばアラーム時刻になりアラーム報音がなされている間に表示部３７に表示されているアラーム時刻やスケジュール内容を読み取ることやアラームの報音を停止操作させることが出来る。
【００８２】
そして、アラームの報音が停止されると、図７のステップＡ１４及びＡ１５と同様にロックＯＮ状態に設定されるものである。
【００８３】
上記ステップＢ１で、アラーム時刻に至っていないことが検出された際にはステップＢ２でキー釦操作の検出処理が行われ、釦操作が検出されたときにはステップＢ４に進む。
【００８４】
ステップＢ４においては、操作されたキー釦がロック解除（ロックＯＦＦ）のための入力釦９Ａであるか否かが判断される。
【００８５】
入力釦９Ａの操作であった場合には、ステップＢ５に進み、ロック制御部４３のアンド回路２２の入力信号Ｘ及びＹに夫々「１」の信号を送り、ロック機構のロックを解除する。
【００８６】
即ち、着信時やアラーム報音時には、無条件にロック解除（モード１の場合）或いは着信中や報音中の入力釦９Ａの操作によってロック解除（モード２の場合）がなされるが、待受状態においては、入力釦９Ａの操作だけで無条件にロック解除がなされる。
【００８７】
これは、例えば待ち受け時には、電子メールの作成やインターネットの接続或いはデジタル放送の受信、音楽再生など各種機能を動作させるものであり、そのために携帯電話機１をベルト通し部２３から外すのに入力釦９Ａの操作だけでロックを解除するものである。
【００８８】
次のステップＢ６では、ロック機構をロックＯＮ状態に設定するための入力釦９Ｂの操作がなされたか否かが判断され、入力釦９Ｂの操作がなされた場合には次のステップＢ７においてロック機構が直ちにロックＯＮに設定される。また、入力釦９Ｂの操作がなされなかった場合であっても、ロック解除がなされてから予め定められた所定時間、例えば１分間が経過したことがステップＢ８で検出されるとステップＢ７に進んでロック機構がロック状態に設定される。
【００８９】
即ち、上述した機能の動作が短時間の場合であって、機能動作終了後ベルト通し部２３に掛止させた場合には、掛け紙した後にロック設定の為の入力釦９Ｂを操作すればよいが、もし、操作を忘れた場合であってもステップＢ８及びＢ７によって自動的にロックを掛けることが出来る。
【００９０】
尚、機能動作の使用が上記所定時間を超える長時間にわたる場合にあっては、使用中にロックが掛かってしまうが図３で説明した如く、ロック状態でもベルト通し部２３に掛止できるので何の不都合も生じないものである。
【００９１】
然して、ステップＢ４で入力釦９Ａによるロック解除の操作でなかった場合にはステップＢ９に進み、操作されたキー釦が電源オフキー釦の操作であるか否かの判断がなされ、電源オフキー釦の操作であった場合には、ステップＢ１０に進んで携帯電話機１の電源をオフして処理を終了する。
【００９２】
また、電源オフキーの操作でない場合にはステップＢ１１に進み、操作されたキー釦に対応する処理、例えば電子メール機能、インターネット接続機能及びデジタル放送受信機能、アラーム時刻の設定、音楽再生など各種アプリケーションの実行処理を行ない、その後ステップＡ３の待受処理に戻る。
【００９３】
以上の如く、上述した携帯電話機１の留め具機構４２にあっては、上本体部３のケース３Ａに回動可能に取り付けられた留め具部材１３と１４とを用いて携帯電話機１をズボンのベルト通し部２３に掛止することが出来、留め具部材１３には回動を規制するロック機構が設けられているのでロックを解除しない限りは留め具機構４２がベルト通しから外れることが無く、携帯電話機１の落下及び落下による破損などを防止し得る。また、電磁石１９の駆動によりロックは容易にロック解除出来るので、着信などによって携帯電話機１を使用する際には極めて迅速にベルト通し部２３から外すことが可能である。
【００９４】
また、図２等から明らかな様に、留め具部材１３は、軸３Ｄに軸支されている部分からその先端部１３Ｂ迄の長さが、留め具部材１４の軸３Ｅに軸支されている部分からその先端部１４Ｂ迄の長さに対して長く形成されているので、留め具部材１４を回動させるよりもわずかの力で回動出来、また、留め具部材１３のわずかな回動で先端部１３Ｂと先端部１４Ｂとの間に隙間を生じさせることができるので、携帯電話機１の取り外しが極めて容易となるものである。
【００９５】
また、留め具部材１４は、バネ部材１８の弾性力によって付勢を受けた状態で前記本体部に軸支されて取り付けられており、バネ部材１８の付勢方向に逆らって前記先端部１４Ｂをケース３Ａ側に回転させることにより留め具部材１３の先端部１３Ｂとの間に隙間が生じるので、留め具部材１３がロック状態であっても容易にベルト通し部２３に掛止させることが出来る。
【００９６】
更に、留め具部材１３にはバネ部材１５が取り付けられており前記ロック機構によるロック規制が解除された状態でも前記バネ部材１５の付勢によって留め具部材１４との係合が保持されるので、携帯電話機１の掛止が外れることを防止し得る。
【００９７】
更にまた、前記ロック機構はケース３Ａ内部に配置された電磁石１９の駆動によってロックが解除されるので、電子的にロック状態を制御することが出来、また、携帯電話機１内部の防水状態を維持しながらロック制御が可能である。
【００９８】
また、前記ロック機構は、前記電磁機構の非通電時にロック状態となり、前記電磁機構の通電時にロック状態が解除されるので、無駄な電力消費をなくすことが出来る。
【００９９】
更に、前記ロック解除は少なくとも着信や、アラーム報音時等の割り込み処理が発生した際に実行されるので、携帯電話機１の使用時に直ちに対応できる。
【０１００】
更にまた、携帯電話機１には、入力釦９Ａが備えられており、前記ロックの解除は、少なくとも前記割り込み処理の発生と入力釦９Ａの入力操作によって実行されるようにもできるので、割り込みが発生してロックが解除され掛止が外れて携帯電話機１が落下してしまうと行ったことを防止し得る。
【０１０１】
尚、入力釦９Ａの替わりに、或いは入力釦９Ａ以外に例えば音声認識手段を設け、外部から入力された音声が所定の音声であった場合にロックを解除させることも出来る。
【０１０２】
また、ロックの解除は、外部からの着信を検出した際になされるので、着信に対して迅速に対応できる。
【０１０３】
更に、ロックの解除は前記入力釦９Ａの操作だけでも行わせることが出来るので、携帯電話機１の使用時には直ちに掛止を外して使用することが出来る。
【０１０４】
また、着信等の通信に対して通話応答した後自動的に前記ロック機構がロック状態に設定されるのでロックのし忘れといったことを防止し得る。この場合、着信以外に外部からのデータの受信や放送の受信といった通信手段に対しても通信終了後にロック状態にさせることが出来る
【０１０５】
更に、入力釦９Ｂによってロック状態が解除されているロック機構を直ちにロック状態に設定出来るので、極めて容易にロック設定が成し得る。
【０１０６】
また、ロック状態が解除されてから所定時間後に自動的にロック機構をロック状態に設定するのでロックのし忘れを防止し得る。
【０１０７】
更に、留め具部材１３及び１４は、上本体部３の上部に緩衝部材として機能する合成樹脂製の部材から構成されているので携帯電話機１を外部の衝撃から緩和する役目も果たす。
【０１０８】
尚、上記の実施例では、ステップＡ１３で着信に応答する通話が終了した後、ステップＡ１５で直ちにロック機構をロック状態に設定する様に構成されているが、例えば、通話終了後、ステップＢ６に示した様な所定時間経過したか否かを検出する処理を追加し、所定時間経過したことが検知された際にロック機構をロック状態に設定する様にしても良い。
【０１０９】
また、上記実施例では、着信或いはアラーム時刻の割り込みに対して終了後に自動的にロックを掛ける様にしたが、他の機能、例えば、インターネット閲覧、放送受信、音楽再生などの各アプリケーションの動作が終了した際に自動的にロックを掛ける様にしても良い。この場合、上記着信時と同様に、直ちにロックを掛けたり、所定時間経過後にロックを掛けたりさせることが出来る。
【０１１０】
更に、本体部に対して留め具機構４２が設けられる位置及びその構造は上記実施例には限定されず、例えば、留め具部材１３は、その先端部１３Ｂが上方に回転した後バネ部材１５によって元の位置に復帰する様に構成されているが、他の手段で復帰させる様にしても良く、また、他の構造、例えば電気的制御によって自動的に復帰させるなどしても良い。
【０１１１】
更に、上記実施例では、携帯電話機１のケース３Ａに留め具機構４２を設けたが、例えばケース３Ａを覆う耐衝撃性の緩衝部材を設け、この緩衝部材に留め具機構４２を設けても良く、また、携帯電話機１が挿入保持される外部ケースを設け、この外部ケースに留め具機構４２を設けても良い。この場合、上記携帯電話機１を含む緩衝部材や外部ケースが本発明の本体部に該当することになる。
【０１１２】
更に、上記実施例では、本発明を携帯電話機１に適用した例について述べたが、本発明はデジタルカメラ、パーソナルコンピュータ、音楽プレーヤ、ＰＤＡなど、留め具機構を備えた機器であれば、どのような機器であっても適用可能である。
【図面の簡単な説明】
【０１１３】
【図１】本発明の携帯電話機１の外観図。
【図２】携帯電話機１の留め具機構の構成を説明する図。
【図３】留め具機構をベルト通し部２３に掛止する状態を示す図。
【図４】留め具機構をベルト通し部２３に掛止した後の状態を示す図。
【図５】携帯電話機１の構成を示すフロック図。
【図６】図５の記憶部３１のフラグメモリとその内容を説明する図。
【図７】携帯電話機１の動作を示すフローチャート図。
【図８】同じく携帯電話機１の動作を示すフローチャート図。
【図９】留め具機構をベルト通し部２３から外す状態を示す図。
【符号の説明】
【０１１４】
１  携帯電話機
２  下本体部
３  上本体部
３Ａ  ケース
１３  留め具部材
１４  留め具部材
１６  ロック棒
１９  電磁石
２０  スイッチ部
３１  記憶部
３２  無線通信部
３３  アンテナ
３４  音声信号処理部
３７  表示部
３８  操作部
４１  計時部
４２  留め具機構部
４３  ロック制御部
【図１】
2010011126.tif 000003
【図２】
2010011126.tif 000004
【図３】
2010011126.tif 000005
【図４】
2010011126.tif 000006
【図５】
2010011126.tif 000007
【図６】
2010011126.tif 000008
【図７】
2010011126.tif 000009
【図８】
2010011126.tif 000010
【図９】
2010011126.tif 000011